(57)【特許請求の範囲】
【請求項１】
鋼管をスクイズした管端部に被せる偏平状のゴムキャップと、
該ゴムキャップの閉止端部及び偏平外面を覆いゴムキャップを介して前記鋼管のスクイズ部をスクイズするスクイズ方向に２つ割りのスクイズカバーと、
からなることを特徴とする鋼管スクイズキャップ。
【請求項２】
前記スクイズカバーは、
前記鋼管のスクイズ部をスクイズする偏平部と、
該偏平部に設けたボルト締結部と、
前記偏平部から前記鋼管の元側に向けて鋼管のスクイズ変形した外面に沿って広がると共にスクイズ方向と直角方向に窄まるスクイズカバー部と、
を有することを特徴とする請求項１記載の鋼管スクイズキャップ。
【発明の詳細な説明】
【０００１】
【発明の属する技術分野】
本発明は、都市ガス等の埋設鋼管の端部をスクイズして閉塞した状態で埋設等放置しておく鋼管スクイズキャップに関するものである。
【０００２】
【従来の技術】
埋設配管した鋼管の端部を閉塞するには、閉塞部の鋼管を切断後、金属製のメカニカル形キャップ継手を切断した管端部に接続する方法や、管外周面の上下２方向からスクイズ工具によってスクイズして管を偏平押し潰して閉塞する方法が行われている。
管をスクイズして閉塞するのは、管内にガスが流通状態でも外部にガスを流出させずに行える便利なものである。しかし、スクイズ偏平した後の管の閉塞状態を確実に維持するものがなく、スクイズ工具を取外してスクイズ状態を開放した管端部にブチルゴムを当て、その上からテープ巻するとか、スクイズ状態を開放した管端部にゴムキャップを被せてテープ巻するとかの手段が採られていた。
【０００３】
【発明が解決しようとする課題】
上記従来の技術では、管端部に施す閉塞作業が手作業のため常に均一に行えず、閉塞状態を確実に維持できない問題があった。本発明は上記の課題を解消して、確実にスクイズした後の管端部を閉塞し維持できる鋼管スクイズキャップを提供することを目的とする。
【０００４】
【課題を解決するための手段】
本発明の要旨は、鋼管をスクイズした管端部に被せる偏平状のゴムキャップと、該ゴムキャップの閉止端部及び偏平外面を覆いゴムキャップを介して前記鋼管のスクイズ部をスクイズするスクイズ方向に２つ割りのスクイズカバーと、からなることを特徴とする鋼管スクイズキャップである。上記においてスクイズカバーは、前記鋼管のスクイズ部をスクイズする偏平部と、該偏平部に設けたボルト締結部と、前記偏平部から前記鋼管の元側に向けて鋼管のスクイズ変形した外面に沿って広がると共にスクイズ方向と直角方向に窄まるスクイズカバー部とを有することを特徴とする鋼管スクイズキャップである。
【０００５】
【作用】
本発明は上記の構成であって、鋼管のスクイズした端部に被せたゴムキャップの外面をスクイズカバーで覆って鋼管をスクイズした状態に維持するので、鋼管のスクイズ状態が維持されており、また管端部にかぶせたゴムキャップが圧縮されるので、確実にシールされて管端部の閉塞状態が維持される。更にゴムキャップの外面をスクイズカバーが覆っているので、ゴムキャップが土砂等で破れたり管端部から抜け出したりすることがない。またスクイズカバーは、管のスクイズ変形した外面に沿ったスクイズカバー部を備え、特に管の本部側に向かってスクイズ方向と直角方向に窄まるスクイズカバー部によって、このスクイズカバーは管の端部側が大きいため、万一のいたずらによってハンマー等でスクイズカバーを管端側に打って外そうとしても外れず、このため安全性が保たれる。
【０００６】
【実施例】
以下本発明の実施例を図面に基づいて説明する。
図１は本発明の一実施例を示すスクイズキャップをスクイズした管端部に装着した状態を示す斜視図で、図２、図３はゴムキャップ２０を示す部分断面図で、図４、図５はスクイズカバー３０を示す部分断面図である。
ゴムキャップ２０は埋設鋼管１０をスクイズ工具でスクイズした状態の端部１１から挿入して管端外面を覆うように穴断面が偏平長細状の袋状態で、ゴムキャップ２０の入口外面には環状凸部２１を形成してある。
【０００７】
スクイズカバー３０はスクイズと直角方向に扁平の２つ割り構造の樹脂又は金属製で、管スクイズ端部１１に装着した内側のゴムキャップ２０の閉塞側端部から外面に亘って覆い、偏平した管の両側部でボルト締結部３１を設け、また鋼管をスクイズした偏平部から元部の変形部分１２を覆うスクイズカバー部３２を形成してある。ボルト締結部３１の偏平部の内面にはゴムキャップ２０の環状凸部２１を圧縮する環状凹部３３を設けてあり、ボルト締結した際にこの環状凹部３３が他の部分より強く環状凸部２１を圧縮するように凸部２１より浅く形成してあり、環状凸部の内面が強固に鋼管の偏平したスクイズ外表面を圧縮し密着する。このため鋼管表面をきれいに処理せずともシール性が確実に保持される。またこの環状凸部２１を介して鋼管１０がスクイズされ、鋼管のスクイズ状態が維持される。スクイズカバー部３２は、図４の如く平面上で管１０の元部側に向かって窄まると共に図５の如く立面上で管１０の元部側に向かって広がる形状で、このスクイズカバー部３２で鋼管のスクイズ変形部分１２を覆っている。このため平面上管の元部側に窄まるスクイズカバー部３２によって管端部１１に装着したスクイズカバー３０が管の端部方向に抜け出されるのが防止される。
【０００８】
使用状態としては、廃屋または土地区画整理等で不要になった埋設供給配管の元部でスクイズ工具を用いて押し潰し、鋼管内のガスの流通状態が遮断される。このスクイズ工具でスクイズした状態で管端部側が切断される。切断された管端部にゴムキャップ２０を被せてガスの流出をなくし、スクイズ工具が外され、ゴムキャップ２０が完全に装着される。この管端部に装着したゴムキャップ２０の外面から上下２つ割りのスクイズカバー３０を装着し、両側のボルト締結部３１にボルト３４を装着して上下のカバー３０を締結する。
このためゴムキャップ２０が装着された管端部１１はスクイズ状態を維持しており、またゴムキャップ２０もスクイズカバー３０で圧縮されているので完全な閉塞状態が維持され、ガスが流通活管状態の埋設管１０を漏洩なしに完全に閉塞することができる。
【０００９】
【発明の効果】
以上説明の如く本発明の鋼管スクイズキャップは、管端部から抜け出すのが防止されると共に、漏れに対して安全性が高く確実にスクイズした後の管端部を閉塞維持できる鋼管スクイズキャップである。
【図面の簡単な説明】
【図１】  本発明の一実施例のスクイズキャップを管端部に装着した状態を示す斜視図である。
【図２】  本発明の実施例のゴムキャップを示す部分平面断面図である。
【図３】  図２のゴムキャップの部分立面断面図である。
【図４】  本発明の実施例のスクイズキャップを管端部に装着した状態の部分平面断面図である。
【図５】  図４のスクイズキャップの部分立面断面図である。
【符号の説明】
１０  鋼管
１１  管端スクイズ部分
１２  スクイズ変形部分
２０  ゴムキャップ
２１  環状凸部
３０  スクイズカバー
３１  ボルト締結部
３２  スクイズカバー部
３３  環状凹部
３４  ボルト
【図１】
0003960499.tif 000002
【図２】
0003960499.tif 000003
【図３】
0003960499.tif 000004
【図４】
0003960499.tif 000005
【図５】
0003960499.tif 000006